(57)【要約】      （修正有）【課題】ケーブルや室内アンテナ等の各種の被取付体を、壁面や天井面に迅速に取り付けることができる汎用性の高い保持具を提供する。【解決手段】合成樹脂製の偏平なプレート１と、それに埋設された締結体４とを有し、締結体４は紐または、金属線あるいは、軟質のフィルム２および屈曲自在な金属線３とからなり、その締結体４の中間部または端部がプレート１に埋設固定されている。【選択図】図７
0003183339.tif 000002
【実用新案登録請求の範囲】
【請求項１】
合成樹脂製の偏平なプレート(1)と、
中間部のみが、そのプレート(1)に埋設されて一体に固定された偏平な軟質のフィルム(2)および、そのフィルム(2)の中心に配置された屈曲自在な細い金属線(3)からなる締結体(4)と、を具備する保持具。
【請求項２】
合成樹脂製の偏平なプレート(1)と、
中間部のみが、そのプレート(1)に埋設されて一体に固定された屈曲自在な金属線または紐からなる締結体(4)と、を具備する保持具。
【請求項３】
合成樹脂製の偏平なプレート(1)と、
それぞれの端部が、そのプレート(1)に埋設されて一体に固定された偏平な軟質のフィルム(2)および、そのフィルム(2)の中心に配置された屈曲自在な細い金属線(3)からなる一対の締結体(4a)(4b)と、を具備する保持具。
【請求項４】
合成樹脂製の偏平なプレート(1)と、
それぞれの端部が、そのプレート(1)に埋設されて一体に固定された屈曲自在な金属線または紐からなる一対の締結体(4a)(4b)を具備する保持具。
【請求項５】
請求項２または請求項４に記載の保持具において、
金属線(3)の外周に、それと同芯に軟質被覆材(2a)が被覆された保持具。
【請求項６】
請求項１〜請求項５のいずれかに記載の保持具において、
前記プレート(1)の一方の平面の中心に、凸部(1a)が一体に設けられ、その凸部(1a)に前記締結体(4)の中間部または端部が埋設固定された保持具。
【請求項７】
請求項１〜請求項６のいずれかに記載の保持具において、
前記プレート(1)が細長く形成され、
そのプレート(1)の長手方向に互いに離間して少なくとも一対の締結体(4)または一対づつの締結体が、プレート(1)の幅方向に横断して埋設された保持具。
【請求項８】
請求項１〜請求項７のいずれかに記載の保持具において、
締結体(4)の端部外周または中間部外周が耐熱被覆材(4c)で被覆され、その耐熱被覆材(4c)の部分で、その外周に樹脂の射出成形がされて、前記プレート(1)が形成されてなる保持具。
【考案の詳細な説明】
【技術分野】
【０００１】
本考案は、壁や天井にケーブルやアンテナ等を取り付ける際に用いられる保持具に関する。
【背景技術】
【０００２】
ケーブルを壁や天井に取り付けるには、従来からケーブル用クランプが使用されていた。また、天井にアンテナ等の機器を取り付けるためには、適宜な金具を天井にビスや画鋲等により固定し、それに紐等を介してアンテナを吊り下げることが考えられる。
【考案の概要】
【考案が解決しようとする課題】
【０００３】
従来の保持具は、ケーブルを保持するための専用クランプであり、各種物品を取り付けることに対応できる汎用性はなかった。
そこで、本考案は各種物品を容易に取り付けることができる保持具を提供することを課題とする。
【課題を解決するための手段】
【０００４】
請求項１に記載の考案は、
合成樹脂製の偏平なプレート(1)と、
中間部のみが、そのプレート(1)に埋設されて一体に固定された偏平な軟質のフィルム(2)および、そのフィルム(2)の中心に配置された屈曲自在な細い金属線(3)からなる締結体(4)と、を具備する保持具である。
請求項２に記載の考案は、
合成樹脂製の偏平なプレート(1)と、
中間部のみが、そのプレート(1)に埋設されて一体に固定された屈曲自在な金属線または紐からなる締結体(4)と、を具備する保持具である。
【０００５】
請求項３に記載の考案は、
合成樹脂製の偏平なプレート(1)と、
それぞれの端部が、そのプレート(1)に埋設されて一体に固定された偏平な軟質のフィルム(2)および、そのフィルム(2)の中心に配置された屈曲自在な細い金属線(3)からなる一対の締結体(4a)(4b)と、を具備する保持具である。
請求項４に記載の考案は、
合成樹脂製の偏平なプレート(1)と、
それぞれの端部が、そのプレート(1)に埋設されて一体に固定された屈曲自在な金属線または紐からなる一対の締結体(4a)(4b)を具備する保持具である。
【０００６】
請求項５に記載の考案は、
請求項２または請求項４に記載の保持具において、
金属線(3)の外周に、それと同芯に軟質被覆材(2a)が被覆された保持具である。
請求項６に記載の考案は、
請求項１〜請求項５のいずれかに記載の保持具において、
前記プレート(1)の一方の平面の中心に、凸部(1a)が一体に設けられ、その凸部(1a)に前記締結体(4)の中間部または端部が埋設固定された保持具である。
【０００７】
請求項７に記載の考案は、
請求項１〜請求項６のいずれかに記載の保持具において、
前記プレート(1)が細長く形成され、
そのプレート(1)の長手方向に互いに離間して少なくとも一対の締結体(4)または一対づつの締結体が、プレート(1)の幅方向に横断して埋設された保持具である。
【０００８】
請求項８に記載の考案は、
請求項１〜請求項７のいずれかに記載の保持具において、
締結体４の端部外周または中間部外周が耐熱被覆材4cで被覆され、その耐熱被覆材4cの部分で、その外周に樹脂の射出成形がされて、前記プレート(1)が形成されてなる保持具である。
【考案の効果】
【０００９】
請求項１〜請求項６に記載の本考案の保持具は、紐または、金属線あるいはフィルムと金属線とからなる屈曲自在な締結体４の中間部または、端部がプレート１に埋設されているので、プレート１を壁や天井に固定して、ケーブル等の被取付体５を締結体４の両端部で縛ることにより、それを壁や天井に極めて容易に取付ることができる。
【００１０】
請求項７に記載の考案のように、プレート１に互いに離間して少なくとも一対または一対づつの締結体４を埋設した場合には、天井や壁等に、長尺物を少なくとも二ヶ所で容易に取り付けることができる。
【００１１】
請求項８に記載の考案のように、締結体４の端部外周または中間部外周に耐熱被覆材4cが被覆され、その耐熱被覆材4cの部分で、その外周に樹脂の射出成形をして、前記プレート１を形成した場合には、プレートの樹脂射出成形時の熱で締結体４の一部が、溶融または変質することを防止できる。
【図面の簡単な説明】
【００１２】
【図１】本考案の保持具の断面図であって、図２のI‐I矢視断面図。
【図２】同保持具の斜視図。
【図３】図２のIII−III矢視断面図。
【図４】被取付体５として、ケーブルを本考案の保持具に取り付けた状態を示す縦断面図。
【図５】被取付体５として、室内アンテナを天井10に取り付けた状態を示す縦断面図。
【図６】同斜視説明図。
【図７】本考案の第２実施例の保持具11の斜視図。
【図８】同第３実施例の斜視図。
【図９】同第４実施例の斜視図。
【図１０】同第５実施例の斜視図。
【図１１】同第６実施例の斜視図。
【図１２】同第７実施例の斜視図。
【図１３】同第８実施例の保持具の製造工程を説明する斜視図。
【図１４】同第９実施例の斜視図および、（Ａ）のＢ−Ｂ矢視断面拡大図。
【図１５】同第10実施例の斜視図。
【図１６】同第11実施例の斜視図。
【考案を実施するための形態】
【００１３】
次に、図面に基づいて本考案の実施の形態につき、説明する。
【実施例１】
【００１４】
本考案の保持具11は、図２に示すごとく、プレート１と締結体４とを有する。
プレート１は、合成樹脂性の偏平なものであり、この例では四隅に取付孔６が穿設されている。なお、この取付孔６を設けなくともよい。そして、そのプレート１の裏面側には図１に示すごとく、両面テープ７が貼着され、その外表面に剥離紙８が被着されている。プレート１の表面側中央には凸部1aが一体的に突設されている。そして、この凸部1aの内部に締結体４の中間部が一体に埋設されている。
【００１５】
締結体４は、図３に示すごとく、帯状のフィルム２とその中心部に埋設された金属線３とからなる。一例として、２枚のフィルム間に金属線３を配置し、そのフィルム間を溶着することにより、締結体４を形成できる。そのフィルム２は偏平な軟質樹脂であり、金属線３は屈曲自在な細いものである。この締結体４自体は、従来電気コード等を結束するものとして使用されているものである。そして、その両端を捻じり合わせることにより、結束具として使用されている。
【００１６】
（使用例）
このようにしてなる保持具11は、一例として図４のごとく使用される。すなわち、表面の剥離紙８を取り除き、両面テープ７を介して、プレート１を壁面９に貼着する。そして、凸部1aに被取付体５としてケーブルを着座させる。そして、締結体４の両端部を被取付体５の周りに巻回し、その両端を重ねて捩り合わせることにより、被取付体５を壁面９に保持することができる。なお、余分な締結体４は適宜位置で切断する。
【００１７】
次に、図５および図６は、被取付体５として室内アンテナを天井10に取り付けた例である。この例では、一対の保持具11を天井10にそれぞれビス又は接着剤等を介して固定する。そして、締結体４の両端部を被取付体５のパイプ材にかけまわし、その両端を重ねて捩ることにより、被取付体５を天井10に吊り下げることができる。
【実施例２】
【００１８】
次に、図７は本考案の第２実施例であり、この例はプレート１が細長い矩形板に形成され、その中心線上に細長い凸部1aが一体に突設され、その長手方向に離間して、一対の締結体４の中間部がそれぞれ凸部1aの幅方向に埋設されたものである。このように一対の締結体４を長手方向に離間して配置することにより、細長いアンテナ等の吊り下げに有用である。また、凸部1aにケーブルを着座させ、その２箇所を締結体４により締結することもできる。
なお、この場合の締結体４の数は適宜増加することができる。また、プレート１の長さも必要に応じて長くすることができる。
さらには、連続したプレート１の長手方向の適宜間隔に切断用のスリットを設け、そこで切断して、適宜長さの保持具11を取り出すこともできる。
【実施例３】
【００１９】
次に、図８は本考案の第３実施例であり、この例は、プレート１に凸部1aが存在しないものである。そして、偏平なプレート１の幅方向に締結体４が挿通されるとともに、その挿通部が一体に埋設固定されたものである。
なお、締結体４をプレート１に埋設するためには、あらかじめ締結体４の外周よりも僅かに大なる貫通孔を形成し、締結体４をそこに挿通した後に、熱圧着等により挿通部を押圧して締結体４を一体に固定することができる。さらには、締結体４とプレート１との間を接着により固定してもよい。また、プレート１の射出成形時に締結体４をインサート成形することもできる。
【実施例４】
【００２０】
次に、図９は本考案の第４実施例であり、この例は、プレート１に一対の締結体4a，4bの各端部を付き合わせ、または各端部を重ね合わせて、その付き合せ部等の外周に合成樹脂を射出成形しプレート１を形成したものである。そして、プレート１に一対の締結体4a，4bの端部がインサート成形されている。このプレート１の両側には、一体に舌片部1bが突設され、各舌片部1bに取付孔６が設けられている。この取付孔６には、ビスや画鋲等が挿入されて、壁面や天井面にそのプレート１が固定される。また、プレート１の裏面及び舌片部1bに粘着テープを予め貼り付け、その粘着テープで壁面等にプレート１を固定することも可能である。
【実施例５】
【００２１】
次に、図１０は本考案の第５実施例であり、この例が図９の例と異なる点は、一対の締結体4a，4bの一端部が重ね合わされて、プレート１にインサート成形された点である。
この保持具11は、主として壁面にビスや画鋲等を介して取付けられ、それにケーブルの中間部が一対の締結体4a 4bにより固定されるものである。
【実施例６】
【００２２】
次に、図１１は本考案の第６実施例であり、この例が図９の例と異なる点は、プレート１の両端部に樹脂成形体のガイド部1cが一体に突設され、そのガイド部1cから締結体4a，4bの端部が延在された点である。このガイド部1cの存在により、締結体4a，4bの根元部を補強するものである。
【実施例７】
【００２３】
次に、図１２は本考案の第７実施例であり、この例は締結体４として屈曲自在な紐を用いたものである。この場合、一例として紐の中間部をプレート１にインサート成形することができる。或いは、一対の紐の両端部を突き合せ、或いは重ね合わせて、その外周に樹脂を射出成形して、プレート１とすることも可能である。
【実施例８】
【００２４】
次に、図１３は本考案の第８実施例の保持具を製造する工程を示し、締結体４の中間部外周が耐熱被覆材4cで被覆され、その耐熱被覆材4cの位置で、その外周に樹脂の射出成形がされて、プレート１が形成されてなるものである。その耐熱被覆材4cとしては、プレート１の射出成形時の熱で締結体４の一部が溶融または変質しない材料である。一例として、プレートの樹脂材料の溶融温度より、高温の溶融温度をもつ軟質または硬質の樹脂材を選択することができる。あるいは、射出成形時に溶融しない熱収縮性の小パイプを被着してもよい。
なお、この実施例は締結体４がフィルム２と金属線３とからなる実施例である。
【実施例９】
【００２５】
次に、図１４は本考案の第９実施例であり、この例が図１３のそれと異なる点は、締結体４が柔軟で細い金属線３の外周に同心に軟質被覆材2aが被覆されたものである。そして、その締結体４の中間部に金属線３に同心に耐熱被覆材4cが被覆され、その外周に射出成形してプレート１が形成されたものである。
図１３及び図１４の何れの場合にも、耐熱被覆材4cはその両端がプレート１の端部から突出している。
【実施例１０】
【００２６】
次に、図１５は本考案の第１０実施例であり、この例が図１４のそれと異なる点は、一対の締結体４が同一方向に延在された点のみである。この例においては、一対の締結体４の端部どうしを重ね合わせ、その外周に耐熱被覆材4cを配置して、プレート１を射出成形したものである。
なお、一本の締結体４の中間部を折り返し、そこにチューブ状の耐熱被覆材4cを被覆して、その外周にプレート１を射出成形してもよい。
【実施例１１】
【００２７】
次に、図１６は本考案の第１１実施例であり、この例が図１５のそれと異なる点は、締結体４として紐を用いた点のみである。
【符号の説明】
【００２８】
１  プレート
1a  凸部
1b  舌片部
1c  ガイド部
２  フィルム
2a  軟質被覆材
３  金属線
４  締結体
4a  第１締結体
4b  第２締結体
4c  耐熱被覆材
【００２９】
５  被取付体
６  取付孔
７  両面テープ
８  剥離紙
９  壁面
10  天井
11  保持具
【図１】
0003183339.tif 000003
【図２】
0003183339.tif 000004
【図３】
0003183339.tif 000005
【図４】
0003183339.tif 000006
【図５】
0003183339.tif 000007
【図６】
0003183339.tif 000008
【図７】
0003183339.tif 000009
【図８】
0003183339.tif 000010
【図９】
0003183339.tif 000011
【図１０】
0003183339.tif 000012
【図１１】
0003183339.tif 000013
【図１２】
0003183339.tif 000014
【図１３】
0003183339.tif 000015
【図１４】
0003183339.tif 000016
【図１５】
0003183339.tif 000017
【図１６】
0003183339.tif 000018